(57)【要約】【課題】給進機構の軽量化を図ることにより全体重量を軽減化し、またドリルヘッドの落下防止対策を講じて、掘削作業の安全性を高めることができるポータブルドリルを提供する。【解決手段】ガイドフレーム２と、ガイドフレーム２に長手方向にスライド自在に支持され、ドリルヘッド９が搭載されるスライドテーブル３と、スライドテーブル３を手動によりスライドさせるための給進機構とを備えたポータブルドリルであって、給進機構は、ガイドフレーム２の面にその長手方向に沿って設置されたチェーン１４と、スライドフレーム３に軸支され、チェーン１４に噛合して走行回転するスプロケット１５と、スプロケット１５の軸に設けられ、該スプロケットを回転させるアーム１６と、スプロケット１５をロックして回転を阻止するとともに、そのロックを解除可能なロック機構２０，２４，２５とを備えてなる【選択図】  図５
2005002626.tif 000002
【特許請求の範囲】
【請求項１】
ガイドフレームと、このガイドフレームに長手方向にスライド自在に支持され、ドリルヘッドが搭載されるスライドテーブルと、このスライドテーブルを手動によりスライドさせるための給進機構とを備えたポータブルドリルであって、
前記給進機構は、前記ガイドフレームの面にその長手方向に沿って設置されたチェーンと、
前記スライドフレームに軸支され、前記チェーンに噛合して走行回転するスプロケットと、
このスプロケットの軸に設けられ、該スプロケットを回転させるアームと、
前記スプロケットをロックして回転を阻止するとともに、そのロックを解除可能なロック機構と
を備えてなることを特徴とするポータブルドリル。
【請求項２】
前記ロック機構は、前記スライドテーブルに設けられて、前記スプロケットの歯に係合して該スプロケットの回転を阻止するロック位置と、前記スプロケットから離脱してロックを解除する位置との間を移動可能な係合部材と、
前記係合部材をロック位置に向けて常時付勢する付勢部材と、
前記アームに設けられ、前記係合部材に連結されることにより、前記付勢部材に抗して前記係合部材を解除位置にもたらす解除部材と
を有していることを特徴とするポータブルドリル。
【請求項３】
前記係合部材による前記スプロケットのロックは、前記スライドテーブルを前進させる方向への前記スプロケットの回転に対してのみなされることを特徴とする請求項２記載のポータブルドリル。
【請求項４】
前記ガイドフレームは中空断面のものであることを特徴とする請求項１，２又は３記載のポータブルドリル。
【請求項５】
前記スプロケット軸と前記アームとの結合部には、該アームの回転力を正転又は逆転として選択的にスプロケット軸に伝達するラチェット機構が組み込まれていることを特徴とする請求項１，２，３又は４記載のポータブルドリル。
【発明の詳細な説明】
【０００１】
【発明の属する技術分野】
この発明はポータブルドリルに関し、さらに詳細には、表層土壌汚染調査などのため適用される簡易なドリルに関する。
【０００２】
【従来の技術】
近年、表層土壌の汚染が社会問題となっており、その汚染状況を調べるために、汚染土壌あるいは地下流体を採取するボーリングが行われている。この汚染調査ボーリングは、工場敷地境界や屋内等の狭隘な場所で行われることが多々あり、このような場所では、クローラなどの動力付き大型走行体にドリルを搭載した機械は進入できない。
【０００３】
このような背景のもと、この発明の発明者は、人力で移動可能な簡易なポータブルドリルを提案した（特許文献１参照）。このポータブルドリルにおいて、ドリルヘッドを前進又は後退させる給進機構として、ラック及びピニオンからなるものが採用されている。
【０００４】
しかし、上記従来のポータブルドリルでは、ドリル全体に占めるラックの重量が大きく、軽量化が困難である。また、ドリルヘッドの落下防止対策については記載がされていない。
【０００５】
【特許文献１】
実用新案登録第３０８４４０５号公報
【０００６】
【発明が解決しようとする課題】
この発明は上記のような技術的背景に基づいてなされたものであって、次の目的を達成するものである。
この発明の目的は、給進機構の軽量化を図ることにより全体重量を軽減化し、またドリルヘッドの落下防止対策を講じて、掘削作業の安全性を高めることができるポータブルドリルを提供することにある。
【０００７】
【課題を解決するための手段】
この発明は上記課題を達成するために、次のような手段を採用している。
すなわち、この発明は、ガイドフレームと、このガイドフレームに長手方向にスライド自在に支持され、ドリルヘッドが搭載されるスライドテーブルと、このスライドテーブルを手動によりスライドさせるための給進機構とを備えたポータブルドリルであって、
前記給進機構は、前記ガイドフレームの面にその長手方向に沿って設置されたチェーンと、
前記スライドフレームに軸支され、前記チェーンに噛合して走行回転するスプロケットと、
このスプロケットの軸に設けられ、該スプロケットを回転させるアームと、
前記スプロケットをロックして回転を阻止するとともに、そのロックを解除可能なロック機構と
を備えてなることを特徴とするポータブルドリルにある。
【０００８】
より具体的には、前記ロック機構は、前記スライドテーブルに設けられて、前記スプロケットの歯に係合して該スプロケットの回転を阻止するロック位置と、前記スプロケットから離脱してロックを解除する位置との間を移動可能な係合部材と、前記係合部材をロック位置に向けて常時付勢する付勢部材と、前記アームに設けられ、前記係合部材に連結されることにより、前記付勢部材に抗して前記係合部材を解除位置にもたらす解除部材とを有している。
【０００９】
前記係合部材による前記スプロケットのロックは、前記スライドテーブルを前進させる方向への前記スプロケットの回転に対してのみなされる。前記ガイドフレームは中空断面のものである。前記スプロケット軸と前記アームとの結合部には、該アームの回転力を正転又は逆転として選択的にスプロケット軸に伝達するラチェット機構が組み込まれている。
【００１０】
【発明の実施の形態】
この発明の実施の形態を図面を参照しながら以下に説明する。図１は、この発明によるポータブルドリルの正面図、図２は側面図である。図３は給進機構を拡大して示す正面図、図４はガイドフレームの断面図である。ポータブルドリル１は、ガイドフレーム２と、このガイドフレーム２にスライド自在に支持されるスライドテーブル３とを備えている。
【００１１】
ガイドフレーム２は略四角形で中空断面のものであり（図４参照）、先端部には固定用のブラケット４が設けられている。ブラケット４には１対の車輪５が軸支され、ガイドフレーム２を倒伏させた状態で、走行させることが可能となっている。ポータブルドリル１による掘削作業時には、ガイドフレーム２を起立させ、ブラケット４をベース６に固定部材７により固定する。ベース６はアンカー８によって地盤に固定される。
【００１２】
スライドテーブル３はガイドフレーム２の外周を長手方向にスライド自在であり、このスライドテーブル３にはドリルヘッド９が搭載されている。このドリルヘッド９は、ハンマドリルとして知られる市販の穴あけ用電動工具であり、詳細説明は省略するが、回転機構及び打撃機構を内蔵している。カバー１０はドリルヘッド９を覆うためのものである。
【００１３】
ドリルヘッド９の下方には、ギヤボックス１２がスライドテーブル３に固定されて配置されている。このギヤボックス１２には図示しない減速歯車機構が収容され、ドリルヘッド９で発生した回転は減速されてアダプタ１３に伝達される。このアダプタ１３にドリルロッドやビットなどの掘削ツールスが接続される。
【００１４】
スライドテーブル３の給進機構を構成するチェーン１４が、ガイドフレーム２の前面に長手方向に沿って設置されている。他方、スライドテーブル３にはスプロケット１５が軸支され、このスプロケット１５はチェーン１４に噛合して、ガイドフレーム２の長手方向に走行回転可能となっている。スライドテーブル３から突出するスプロケット軸１１には結合部１７を介して可動アーム１６が連結されている。
【００１５】
結合部１７には周知のラチェット機構が組み込まれ、手動による可動アーム１６の回転力を正転又は逆転としてスプロケット軸１１に選択的に伝達できるようになっている。バー１８はラチェット機構の正逆回転を切り換えるためのものであり、このバー１８は可動アーム１６のグリップ部１９を握りながら操作することができる。なお、スライドテーブル３には、可動アーム１６の反対側において固定アーム３０が固定されている（図４参照）。これら２つのアーム１６，３０を握ることにより、ポータブルドリル１を操作することができる。
【００１６】
図５及び図６は、スプロケット１５のロック機構を示す図である。スライドテーブル３の一部を構成するステー３ａは、ドリルヘッド９を支持するためのものである。このステー３ａには、係合ブロック２０がガイドフレーム２の長手方向に移動自在に設けられている。より詳細には、係合ブロック２０はスプロケット１５の歯に係合してスプロケット１５の回転を阻止するロック位置（図５に示される位置）と、スプロケット１５から離脱してロックを解除する位置（図６に示される位置）との間を移動自在である。
【００１７】
そして、図７に拡大して示すように、係合ブロック２０は、コイルばね２１によってロック位置に向けて常時付勢されている。係合ブロック２０によるスプロケット１５のロックは、スライドテーブル３を前進させる方向（下降させる方向）へのスプロケット１５の回転（以下、同方向への回転を正転とする）に対してのみ有効となっている。スライドテーブル３を後退させる方向（上昇させる方向）へのスプロケット１５の回転（以下、同方向への回転を逆転とする）に対してはロックが効かない。
【００１８】
すなわち、スプロケット１５を逆転させると、コイルばね２１の付勢力に抗して係合ブロック２０が押し上げられ、係合ブロック２０は間欠的にスプロケット１５の歯に係合することとなるので、スプロケット１５は回転が可能である。このように、特に、スライドテーブル３の下降方向へのスプロケット１５の回転に対してロックを効かせるようにしたのは、重量が大きいドリルヘッド９の重力による落下を防止し、作業の安全性を高めるためである。
【００１９】
係合ブロック２０の上端部は、ブラケット２２を介してステー３ａに支持された引張り具２３に連結されている。他方、アーム１６のグリップ部１９にはロックを解除する部材であるレバー２４が設けられ、このレバー２４と引張り具２３との間はワイヤ２５によって連結されている。したがって、レバー２４を握ると、引張り具２３が係合ブロック２０を上方に引き上げ、これにより係合ブロック２０はスプロケット１５の歯から離脱する。また、レバー２４の握りを解放すると、係合ブロック２０はコイルばね２１の付勢力により下方に移動し、スプロケット１５の歯に係合する。以上のような、係合ブロック２０の係合を解除するための機構、すなわち引張り具２３、ワイヤ２５及びレバー２４を含む機構は、自転車のブレーキに採用されているものと類似の構造である。
【００２０】
次に、上記ポータブルドリルの使用形態について概略説明する。アーム１６のクラッチ機構をスプロケット１５の逆転状態として、アーム１６を往復回動させる。これにより、スライドテーブル３すなわちドリルヘッド９が上昇する。このとき、スプロケット１５の正転方向には係合ブロック２０によるロックが効くので、ドリルヘッド９が自重により落下することはない。
【００２１】
上昇位置においてアダプタ１３（図１及び図２参照）に掘削ツールスを接続すし、ドリルヘッド９を駆動して掘削ツールスに回転力と打撃力とを伝達する。また、ドリルヘッド９に給進力を与えるために、アーム１６のクラッチ機構をスプロケット１５の正転に切り換える。そして、レバー２４を握ってスプロケット１５のロックを解除した状態で、アーム１６を往復回動させることにより、ドリルヘッド９を下降させる。これにより、地盤が掘削される。掘削深度の増大に伴ってドリルロッドを継ぎ足す場合は、一旦掘削を中断してドリルヘッド９を上昇させ、継ぎ足し後、ドリルヘッド９を下降させて掘削を再開する。
【００２２】
【発明の効果】
以上のように、この発明によれば、ドリルヘッドの給進機構がチェーンとスプロケットとで構成されるため、その軽量化を図ることができ、全体重量を軽減させることができる。また、スプロケットの回転を阻止するロック機構を設けたので、ドリルヘッドの落下を防止することができ、掘削作業の安全性を高めることができる。
【図面の簡単な説明】
【図１】この発明によるポータブルドリルの実施形態を示す正面図である。
【図２】同実施形態の側面図である。
【図３】給進機構を拡大して示す正面図である。
【図４】ガイドフレームの断面図である。
【図５】スプロケットがロックされている状態のロック機構を示す図である。
【図６】スプロケットのロックが解除されている状態のロック機構を示す図である。
【図７】係合ブロックを付勢するコイルばねを拡大して示す図である。
【符号の説明】
１：ポータブルドリル
２：ガイドフレーム
３ａ：ステー
３：スライドテーブル
９：ドリルヘッド
１１：スプロケット軸
１２：ギヤボックス
１４：チェーン
１５：スプロケット
１６：可動アーム
１７：結合部
１８：切り換えバー
１９：グリップ部
２０：係合ブロック
２３：引張り具
２４：解除レバー
２５：ワイヤ
３０：固定アーム
【図１】
2005002626.tif 000003
【図２】
2005002626.tif 000004
【図３】
2005002626.tif 000005
【図４】
2005002626.tif 000006
【図５】
2005002626.tif 000007
【図６】
2005002626.tif 000008
【図７】
2005002626.tif 000009